Podtech/llm-jp-corpus-v4-ja_patent huggingface dataset:
【手続補正書】
【提出日】平成16年10月14日(2004.10.14)
【手続補正１】
【補正対象書類名】明細書
【補正対象項目名】請求項１
【補正方法】変更
【補正の内容】
【請求項１】画像内の領域を選択するように構成された選択手段と、前記画像の光の強度を低減するように構成された低減手段とを有する、画像を表示するためのシステムであって、前記システムが更に、前記画像内の動き及び静止部分を検出するように構成された動き検出器を有し、前記領域内に動きも検出される場合、前記低減手段が、前記領域内の前記静止部分の前記光の強度を低減することを特徴とするシステム。
【手続補正２】
【補正対象書類名】明細書
【補正対象項目名】００１３
【補正方法】変更
【補正の内容】
【００１３】
【発明の実施の形態】
図１は、画像１００をもつ表示スクリーンの例を示している。この画像には、強度が低減されうる領域１０２及び１０４の位置が示されている。ロゴのような静止オブジェクトは、それらが当該領域において画像を最小限に覆うので、多くの場合は画像の角（コーナー）に表示される。これらのロゴを検出することができるようにするため、画像の角に静止オブジェクトがあるかどうか探すことが有用である。従って、領域１０２及び１０４は、画像１００の角に位置しているが、原則として、これらは画像のどこに位置してもよく、又は画像内を移動して規則的に異なる場所に達するものであってもよい。更に、ロゴは一般にそれほど大きくない。２８インチのディスプレイ上では、これらは多くの場合３x３ｃｍより小さい。こうして、例えば５０ｘ５０ピクセルの相対的に小さい領域において動きがあるかを探せば十分である。ロゴが検出されうる領域の数は変更することができる。例えば、画像は、動きが探索される小さい領域に全体的に分割されてもよい。領域は四角形でなくてもよく、より大きくても小さくてもよい。動きは、領域１０２及び１０４内の角１０６、１０８、１１０及び１１２において決定されることができる。
【手続補正書】
【提出日】平成16年10月29日(2004.10.29)
【手続補正１】
【補正対象書類名】明細書
【補正対象項目名】特許請求の範囲
【補正方法】変更
【補正の内容】
【特許請求の範囲】
【請求項１】  上下に配置された、または並置された複数のメイン配線基板を有する電子機器であって、
当該メイン配線基板のうち第１の配線基板は例えばラジオの電子構成部材を支持し、第２の配線基板はマルチメディア機器の電子構成部材を支持し、第３の配線基板は車両ナビゲーションの電子構成部材を支持し、
当該メイン配線基板は、相互の電気接続のためにその前面にそれぞれ１つの差し込み接続部材を有する形式の電子機器において、
電子機器の前面には、メイン配線基板（２，３，４）に対して横方向に配向された接続配線基板（９）が設けられており、
該接続配線基板は、メイン配線基板（２，３，４）のそれぞれの差し込み接続部材（１０，１２，１３）に係合する別の差し込み接続部材（１１，１３，１５）を備えており、
前記接続配線基板（９）は、電子機器の操作素子（６，７）を有するフロントプレート（５）に設けられており、
該フロントプレート（５）は前記接続配線基板（９）を有する、ことを特徴とする電子機器。
【請求項２】  接続配線基板（９）は、フロントプレート（５）に向いた側に少なくとも１つの差し込み接続部（１６）を有し、
該差し込み接続部はフロントプレート（５）のサブ配線基板（８）と接続するための用いる、請求項１記載の電子機器。
【手続補正書】
【提出日】平成15年7月15日(2003.7.15)
【手続補正１】
【補正対象書類名】明細書
【補正対象項目名】特許請求の範囲
【補正方法】変更
【補正の内容】
【特許請求の範囲】
【請求項１】
基板周辺上で材料を露光するシステムであって、
ガイドに連結され、周辺で放射する露光源アセンブリと、
基板エッジを検出し、これを示す信号を生成するためのエッジ検出器と、
露光中、基板の周辺に沿ってガイドを移動させるための搬送部と、
信号を処理し、信号に従って周辺を露光するように移動するよう搬送部に命令する制御システムとを含む、システム。
【請求項２】
ガイドは光ファイバおよび／または反射屈折式アセンブリを含む、請求項１に記載のシステム。
【請求項３】
搬送部は、ガイドを基板の上で移動させるための回転機構および半径方向機構を含む、請求項１に記載のシステム。
【請求項４】
搬送部は、ガイドおよびエッジ検出器を支持するトラッキング露光ヘッドを含む、請求項１に記載のシステム。
【請求項５】
回転機構および半径方向機構のための誘導機構および停止機構をさらに含む、請求項３に記載のシステム。
【請求項６】
回転機構は半径方向機構を支持し、この半径方向機構はトラッキング露光ヘッドを支持する、請求項４に記載のシステム。
【請求項７】
回転機構は、基板を収納しかつ半径方向機構を支持するドラムであり、この半径方向機構は、基板に隣接してエッジ検出器およびガイドを保持するトラッキング露光ヘッドを支持する、請求項４に記載のシステム。
【請求項８】
基板の周辺を露光するためのシステムであって、
露光源を収納するチャンバと、
プロセスチャンバとを含み、このプロセスチャンバは、
支持部上の基板と、
エッジ検出器およびエミッタを備えた搬送部とを含み、前記システムはさらに、
露光源をエミッタに連結するガイドと、
基板エッジを示す信号を検出器から受取り、そのエッジ信号に従って、基板の周辺に沿って搬送部を導く制御システムとを含む、システム。
【請求項９】
制御チャンバは主制御システムを収納し、露光源チャンバは露光源を収納する内部エンクロージャを含む、請求項８に記載のシステム。
【請求項１０】
露光源アセンブリおよび主制御システムにより生じる熱を除去するダクトをさらに含む、請求項９に記載のシステム。
【請求項１１】
搬送部は、周辺に沿ってエミッタを回転させるための機構、基板の上でのエミッタの半径方向移動のための機構、ならびにエミッタおよびエッジ検出器を支持するトラッキング露光ヘッドを含む、請求項８に記載のシステム。
【請求項１２】
回転機構および半径方向機構は、誘導機構および停止機構に従ってエミッタおよびエッジ検出器を移動させる、請求項１１に記載のシステム。
【請求項１３】
回転機構は半径方向機構を支持し、この半径方向機構はトラッキング露光ヘッドを支持する、請求項１１に記載のシステム。
【請求項１４】
回転機構は半径方向機構を支持するドラムであり、この半径方向機構は、基板に隣接してエッジ検出器およびエミッタを保持するトラッキング露光ヘッドを支持する、請求項１１に記載のシステム。
【請求項１５】
基板の周辺上の放射線感光性材料を露光する方法であって、
基板を固定支持部上に置くステップと、
周辺上の材料を、固定基板の周辺に沿って露光線を移動させることにより露光するステップと、
固定基板の周辺に沿って検出器を移動させることにより、基板エッジを検出し、エッジ信号を生成するステップと、
エッジ信号に従って露光の深度を制御するステップとを含む、方法。
【請求項１６】
エッジ信号を記憶装置にシーケンスで記憶するステップと、エッジ信号をそのシーケンスで読出すステップとをさらに含む、請求項１５に記載の方法。
【請求項１７】
基板、支持部、検出器および放射端部を露光源から隔離するステップをさらに含む、請求項１５に記載の方法。
【請求項１８】
基板がウェハであり、放射線感光性材料がフォトレジストであり、ウェハは、エッジを検出するステップと、周辺上のフォトレジストを露光するステップとの間固定されている、請求項１５に記載の方法。
【請求項１９】
検出器および露光源は、ウェハの周辺を露光する必要がある場合、ウェハのまわりを回転し、半径方向に移動する、請求項１８に記載の方法。
【請求項２０】
ウェハ周辺の露光を制御する方法であって、エミッタの種々の機械的な移動を示すコンピュータの記憶データに依存しており、前記方法は、
コンピュータプロセッサを用いて、ウェハ基準に対する露光線の角度位置を算出するステップと、
センサを回転させてウェハのエッジを決定するステップと、
角度位置の関数としてエッジを算出するステップと、
エッジおよび対応する角度位置を記憶装置に記憶するステップと、
記憶装置からエッジおよび角度位置を読出して、ウェハの周辺を露光する光線を調整するステップとを含む、方法。
【請求項２１】
基板の周辺上で材料を露光するシステムであって、
放射線を周辺に向けるエミッタを備えた反射屈折式アセンブリに連結された露光源アセンブリと、
基板エッジの場所を突き止め、この場所を示す信号を生成するための検出器と、
周辺に沿ってエミッタを移動させるための搬送部と、
制御システムとを含み、エッジ検出器は信号を制御システムに送り、この制御システムは、信号を処理し、エミッタを移動させる搬送部を制御して周辺を露光させる、システム。
【請求項２２】
基板の周辺を露光するためのシステムであって、
露光源を収納するチャンバと、
プロセスチャンバとを含み、このプロセスチャンバは、
基板支持部と、
エッジ検出器およびエミッタを備えた搬送部とを収納し、この搬送部は、周辺に沿ってエミッタを回転させるための機構と、基板の上でのエミッタの半径方向移動のための機構と、エミッタおよびエッジ検出器を支持するトラッキング露光ヘッドとを含み、前記システムはさらに、
露光源をエミッタに連結するガイドと、
基板エッジを示す信号を検出器から受取り、このエッジ信号に従って基板の周辺に沿って搬送部を導く制御システムとを含む、システム。
【請求項２３】
回転機構および半径方向機構は、誘導機構および停止機構に従ってエミッタおよびエッジ検出器を移動させる、請求項２２に記載のシステム。
【請求項２４】
回転機構は半径方向機構を支持し、この半径方向機構はトラッキング露光ヘッドを支持する、請求項２２に記載のシステム。
【請求項２５】
回転機構は半径方向機構を支持するドラムであり、この半径方向機構は、基板に隣接してエッジ検出器およびエミッタを保持するトラッキング露光ヘッドを支持する、請求項２２に記載のシステム。
【手続補正書】
【提出日】平成15年5月8日(2003.5.8)
【手続補正１】
【補正対象書類名】明細書
【補正対象項目名】特許請求の範囲
【補正方法】変更
【補正の内容】
【特許請求の範囲】
【請求項１】
露光装置の露光パラメータを調整することおよび半導体ウェハ（１０）上の露光場のマトリックス構成（２２）にパターンを投影することによって該半導体ウェハ（１０）を露光する方法であって、
露光場の該マトリックス構成（２２）は、少なくとも２つの領域（２０、２０’）に分割され、該領域（２０、２０’）の各々に、露光装置の照射量および焦点を含む露光パラメータ（３０）の異なったセットが提供される、第１の工程と、
各露光場（２１）は、該露光パラメータ（３０）のセットを用いて露光され、該パラメータは、露光場（２１）に関する該領域（２０、２１’）に関連する、第２の工程と
を包含し、
該第１の工程および該第２の工程は、パシベーション層上がレジストによって被覆される該半導体ウェハ（１０）上で実行され、該露光パラメータ（３０）のセットの各々は、該レジストの下に位置する該パシベーション層の特性に従って提供される、方法。
【請求項２】
前記第２の工程は、半導体ウェハ（１０）の数だけ反復され、他方、前記領域（２０、２０’）の広がりおよび設計ならびに前記露光場（２１）の各々の前記露光パラメータ（３０）のセットは、該数の該半導体ウェハ（１０）のすべてに対して一定に保持されることを特徴とする、請求項１に記載の半導体ウェハ（１０）を露光する方法。
【請求項３】
前記第１の工程による、領域（２０、２０’）への前記分割は、
第１に、前記露光場（２１）の各々について、該露光が所与の質を達成することを可能にする、前記露光パラメータ（３０）のセットの範囲を決定することによってと、
第２に、該露光場（２１）を、露光パラメータ（３０）のすべての関連するセットが、該露光場（２１）の該露光パラメータ（３０）のセットの該範囲内にある前記領域（２０、２０’）と関連付けることによってとで実行されることを特徴とする、請求項１または２に記載の半導体ウェハ（１０）を露光する方法。
【請求項４】
前記露光装置は、ウェハステッパまたはスキャナ、電子ビーム、レーザビーム、イオン投影ビームまたはＸ線リソグラフィ装置であることを特徴とする、請求項１〜３のいずれか一つに記載の半導体ウェハ（１０）を露光する方法。
【請求項５】
前記領域は、前記半導体ウェハ（１０）の連続外側エッジ領域（２０）および連続内側領域（２０）であり、内側領域露光場（２１）を外側領域露光場（２１）を分離する円の半径は、調整され得ることを特徴とする、請求項１〜４のいずれか一つに記載の方法。
【請求項６】
前記半導体ウェハ（１０）は、少なくとも３００ミリメータの直径を有することを特徴とする、請求項１〜５のいずれか一つに記載の半導体ウェハ（１０）を露光する方法。
【手続補正書】
【提出日】平成16年5月20日(2004.5.20)
【手続補正１】
【補正対象書類名】明細書
【補正対象項目名】特許請求の範囲
【補正方法】変更
【補正の内容】
【特許請求の範囲】
【請求項１】  集積回路内の線にある開放を分析するための方法であって、前記方法は、
線にセンスアンプを結合するステップと、
前記線に、予め定められた入力信号を与えるステップと、
センスアンプに複数の基準電圧を与えるステップとを含み、基準電圧はセンスアンプの感度を制御し、前記方法はさらに、
前記複数の基準電圧に基づいて、センスアンプの出力信号を判断するステップを含む、方法。
【請求項２】  センスアンプに与えられる基準電圧に基づいて、線の抵抗の数学的モデルを生成することをさらに含む、請求項１に記載の方法。
【請求項３】  数学的モデルは、シミュレーションプログラムを用いて生成される、請求項２に記載の方法。
【請求項４】  シミュレーションプログラムの出力は、グラフィック分析プログラムを用いて試験される、請求項３に記載の方法。
【請求項５】  集積回路内の欠陥を識別するためのテストシステムであって、前記テストシステムは、
センスアンプと、
第１の線と、
第２の線と、
前記センスアンプ、第１の線および第２の線に結合されたデコーダと、
複数のトランジスタとを含み、前記複数のトランジスタの各々はソース、ドレインおよびゲートを有し、ソースおよびドレインはそれぞれ第１の線および第２の線に接続され、ゲートは選択回路に結合される、テストシステム。
【請求項６】  第１の線の両側に平行の配向に設けられた複数組のテストストリップと、
第１の線および第２の線に対して直交する配向に位置付けられた第３の線とをさらに含み、少なくとも１つのテストストリップは第３の線に結合される、請求項５に記載のテストシステム。
【請求項７】  テストシステムは製品ウェハ上に設けられる、請求項５に記載のテストシステム。
【請求項８】  テストシステムはテストチップ上に設けられる、請求項５に記載のテ
ストシステム。
【請求項９】  選択回路はデコーダの一部を形成する、請求項５に記載のテストシステム。
【請求項１０】  抵抗の高い線部分を標定するための方法であって、
線を試験するステップを含み、線が高い抵抗を有するとわかった場合にはさらに、
隣接する線を試験するステップと、
抵抗の高い部分が切り離されるまで、抵抗の高い線および隣接する線の組合せによって代替経路を形成するステップとを含む、方法。
【手続補正書】
【提出日】平成15年10月1日(2003.10.1)
【手続補正１】
【補正対象書類名】明細書
【補正対象項目名】請求項２７
【補正方法】変更
【補正の内容】
【請求項２７】
第１ドーピング領域内で、ドーパント種の原子を含む第１原子モノレイヤ種をウェーハ上に堆積する工程と、
このウェーハを、前記第１ドーピング領域から、この第１ドーピング領域に対し化学的に分離されている第２ドーピング領域に移動させる工程と、
前記ドーパント種の前記原子を前記ウェーハ内に導入する工程と
を有する導電性原子層のドーピング方法。
【手続補正２】
【補正対象書類名】図面
【補正対象項目名】図１
【補正方法】変更
【補正の内容】
【図１】
2004513525.tif 000001
【手続補正３】
【補正対象書類名】図面
【補正対象項目名】図２
【補正方法】変更
【補正の内容】
【図２】
2004513525.tif 000002
【手続補正４】
【補正対象書類名】図面
【補正対象項目名】図３
【補正方法】変更
【補正の内容】
【図３】
2004513525.tif 000003
【手続補正５】
【補正対象書類名】図面
【補正対象項目名】図４
【補正方法】変更
【補正の内容】
【図４】
2004513525.tif 000004
【手続補正書】
【提出日】平成16年8月6日(2004.8.6)
【手続補正１】
【補正対象書類名】明細書
【補正対象項目名】特許請求の範囲
【補正方法】変更
【補正の内容】
【特許請求の範囲】
【請求項１】  最上面を有する基板と、
同基板最上面上に形成された単一の炭素層と、
同単一の炭素層の最上面上に形成されたレジストスタックとからなる半導体デバイス。
【請求項２】  前記基板はＩＩＩ−Ｖ族材料から形成される請求項１に記載の半導体デバイス。
【請求項３】  前記基板は金属から形成される請求項１に記載の半導体デバイス。
【請求項４】  前記単一の炭素層はポリマー状の炭素から形成される請求項１に記載の半導体デバイス。
【請求項５】  前記単一の炭素層はアモルファスである請求項１に記載の半導体デバイス。
【請求項６】  前記単一の炭素層はダイヤモンド状炭素から形成される請求項１に記載の半導体デバイス。
【請求項７】  表面を有する基板を提供する工程と、
同基板表面上に炭素層を堆積する工程と、
同炭素層の表面上にレジストスタックを形成する工程とからなる、強化ホトレジスト接着性を有した半導体デバイスを形成するための方法。
【手続補正書】
【提出日】平成16年10月29日(2004.10.29)
【手続補正１】
【補正対象書類名】明細書
【補正対象項目名】特許請求の範囲
【補正方法】変更
【補正の内容】
【特許請求の範囲】
【請求項１】  それぞれが独自の波長に関連付けられた複数の情報チャネルを介してデータ通信を行うための装置であって、それぞれが独自の波長に関連付けられた複数の変調器と、
前記複数の変調器に操作上結合され、複数の入力光信号を受信する光マルチプレクサとを含み、複数の入力光信号からのそれぞれの入力光信号が、複数の変調器からの独自の変調器から受信され、
前記複数の入力光信号からのそれぞれの入力光信号が、前記複数の入力光信号からのそれぞれの残りの入力光信号の分散と実質的に等しい独自の分散を有する装置。
【請求項２】  前記複数の入力光信号からのそれぞれの入力光信号の分散が実質的にゼロに等しい、請求項１に記載の装置。
【請求項３】  前記複数の変調器からの実質的にすべての変調器が、分散補償ファイバに介入することなく前記光マルチプレクサに操作上結合される、請求項１に記載の装置。
【請求項４】  前記光マルチプレクサに操作上結合され、複数の分散補償ファイバ・セグメントを含む伝送光ファイバをさらに含み、前記光マルチプレクサが、前記複数の変調器と前記伝送光ファイバとの間に配置された、請求項１に記載の装置。
【請求項５】  前記光マルチプレクサに操作上結合され、複数の分散補償ファイバ・セグメントを含む伝送光ファイバをさらに含み、前記光マルチプレクサが、前記複数の変調器と前記伝送光ファイバとの間に配置され、
前記複数の分散補償ファイバ・セグメントが、実質的にゼロに等しいエンド・ツー・エンド分散勾配を有する、請求項１に記載の装置。
【請求項６】  複数の偏光セレクタをさらに含み、前記複数の偏光セレクタからのそれぞれの偏光セレクタが、前記複数の変調器からの独自の変調器に動作可能に結合され、
前記複数の偏光セレクタからのそれぞれの偏光セレクタが、前記複数の変調器からの独自の変調器と前記光マルチプレクサとの間に配置される、請求項１に記載の装置。
【請求項７】  複数の偏光セレクタをさらに含み、前記複数の偏光セレクタからのそれぞれの偏光セレクタが、前記複数の変調器からの独自の変調器に操作上結合され、前記複数の偏光セレクタからのそれぞれの偏光セレクタが、前記複数の変調器からの独自の変調器と前記光マルチプレクサとの間に配置され、
前記複数の偏光セレクタからのそれぞれの偏光セレクタが、前記複数の情報チャネルからの隣接する情報チャネルに関連付けられた偏光に直交する関連付けられた偏光を有する、請求項１に記載の装置。
【請求項８】  それぞれが前記複数の変調器からの独自の変調器に操作上結合される複数の偏光セレクタ、
それぞれが前記複数の変調器からの独自の変調器に操作上結合された複数のレーザとをさらに含む、請求項１に記載の装置。
【請求項９】  それぞれが独自の波長に関連付けられた複数の情報チャネルを介してデータ通信を行うための装置であって、それぞれが独自の波長に関連付けられた複数の出力光信号を生成する光デマルチプレクサ、
それぞれが独自の波長に関連付けられ、前記光デマルチプレクサに操作上結合された複数の復調器とを含み、前記複数の出力光信号からのそれぞれの出力光信号が、前記複数の出力光信号からの残りの出力光信号の分散に実質的に等しい独自の分散を有する装置。
【請求項１０】  前記複数の出力光信号からのそれぞれの出力光信号が、実質的にゼロに等しい分散を有する、請求項９に記載の装置。
【請求項１１】  前記複数の復調器からの実質的にすべての復調器が、分散補償ファイバに介入することなく前記光マルチプレクサに操作上結合される、請求項９に記載の装置。
【請求項１２】  前記光デマルチプレクサに操作上結合され、複数の分散補償ファイバ・セグメントを含む伝送光ファイバをさらに含み、前記光デマルチプレクサが、前記複数の復調器と前記伝送光ファイバとの間に配置された、請求項９に記載の装置。
【請求項１３】  前記光デマルチプレクサに操作上結合され、複数の分散補償ファイバ・セグメントを含む伝送光ファイバをさらに含み、前記光デマルチプレクサが、前記複数の復調器と前記伝送光ファイバとの間に配置され、
前記複数の分散補償ファイバ・セグメントが、実質的にゼロに等しいエンド・ツー・エンド分散勾配を有する、請求項９に記載の装置。
【請求項１４】  それぞれが独自の波長に関連付けられた複数の情報チャネルを介してデータ通信を行うための方法であって、
それぞれが独自の波長に関連付けられた複数の入力光信号を光マルチプレクサ部で受信し、前記複数の入力光信号からのそれぞれの入力光信号が、前記複数の入力光信号からの残りの入力光信号の分散に実質的に等しい分散を有すること、
出力光信号を生成するために前記複数の入力光信号をマルチプレクシングすること、
前記光マルチプレクサから出力光信号を送信することを含む方法。
【請求項１５】  前記複数の入力光信号からのそれぞれの入力光信号が、実質的にゼロに等しい分散を有する、請求項１４に記載の方法。
【請求項１６】  前記出力光信号が、前記光マルチプレクサから複数の分散補償ファイバ・セグメントを含む伝送光ファイバに送信され、前記複数の分散補償ファイバ・セグメントが、実質的にゼロに等しいエンド・ツー・エンド分散勾配を有する、請求項１４に記載の方法。
【請求項１７】  前記複数の入力光信号から、それぞれの入力光信号の偏光を選択することをさらに含み、前記複数の入力光信号からのそれぞれの入力光信号が、前記複数の情報チャネルからの隣接する情報チャネルに関連付けられた偏光に直交する関連付けられた偏光を有する、請求項１４に記載の方法。
【請求項１８】  それぞれが独自の波長に関連付けられた複数の情報チャネルを介してデータ通信を行うための方法であって、
マルチプレクシングされた複数の情報チャネルを有する入力光信号を光デマルチプレクサ部で受信すること、
複数の出力光信号を生成するために、前記マルチプレクシングされた複数の情報チャネルをデマルチプレクシングし、前記複数の出力光信号からのそれぞれの出力光信号が、前記複数の出力光信号からの残りの出力光信号の分散に実質的に等しい独自の分散を有すること、および
前記光デマルチプレクサからの複数の出力光信号を送信することを含む方法。
【請求項１９】  前記複数の出力光信号からのそれぞれの出力光信号が、実質的にゼロに等しい分散を有する、請求項１８に記載の方法。
【請求項２０】  前記入力光信号が、複数の分散補償ファイバ・セグメントを含む伝送光ファイバから前記光デマルチプレクサ部で受信され、前記複数の分散補償ファイバ・セグメントが、実質的にゼロに等しいエンド・ツー・エンド分散勾配を有する、請求項１８に記載の方法。
【手続補正書】
【提出日】平成15年7月4日(2003.7.4)
【手続補正１】
【補正対象書類名】明細書
【補正対象項目名】特許請求の範囲
【補正方法】変更
【補正の内容】
【特許請求の範囲】
【請求項１】
電源モジュール（１０）を用いてバッテリを充電する方法であって、バッテリ（３０）は、直列に接続された複数のバッテリ・ブロック（３１、３２、３３、...、３ｎ）を有し、
Ｉフェーズにおいて、予め定義された電圧および／または温度に達するまで、バッテリ（３０）の個々のバッテリ・ブロック（３１、３２、３３、...、３ｎ）が、一定の充電電流および可変の電圧で、定義可能な期間の間に、充電サイクルごとに１回、１個ずつ順番に充電され、
Ｕフェーズにおいて、予め定義された電圧および／または温度に達した後、バッテリ（３０）の個々のバッテリ・ブロック（３１、３２、３３、...、３ｎ）が、一定の電圧および可変の電流で、定義可能な期間の間、充電サイクルごとに１回、１個ずつ順番に充電され、
個々のバッテリ・ブロック（３１、３２、３３、...、３ｎ）が定義可能な充電状態および／または温度に達するまで、あるいは電源モジュール（１０）による給電が中止されるまで、充電サイクルが何回でも繰り返されることを特徴とする方法。
【請求項２】
充電サイクルの間に、１個のバッテリ・ブロック（３１、３２、３３、…、３ｎ）から次のバッテリ・ブロックへの充電切換が自動的に行われることを特徴とする請求項１に記載のバッテリの充電方法。
【請求項３】
充電サイクルの間に、１個のバッテリ・ブロック（３１、３２、３３、…、３ｎ）から次のバッテリ・ブロックへの充電切換が電子的に行われることを特徴とする請求項２に記載のバッテリの充電方法。
【請求項４】
充電サイクルごとの個々のバッテリ・ブロック（３１、３２、３３、…、３ｎ）の充電が、３０〜３００秒間行われることを特徴とする請求項１ないし３のいずれかに記載のバッテリの充電方法。
【請求項５】
充電サイクルごとの個々のバッテリ・ブロック（３１、３２、３３、…、３ｎ）の充電が、容量全体の２４０分の１〜１２分の１に相当することを特徴とする請求項１ないし４のいずれかに記載のバッテリの充電方法。
【請求項６】
バッテリ・ブロック（３１、３２、３３、…、３ｎ）ごとに、充電電流が２個の電子スイッチ（４０／４１）を用いて導通と遮断とを切り換えられることを特徴とする請求項１ないし５のいずれかに記載のバッテリの充電方法。
【請求項７】
電子スイッチ（４０／４１）が、少なくとも１つのＭＯＳ−ＦＥＴトランジスタを有することを特徴とする請求項６に記載のバッテリの充電方法。
【請求項８】
マイクロプロセッサを備える制御装置（２０）が、電子スイッチ（４０／４１）および／または電源モジュール（１０）の機能を制御することを特徴とする請求項６または７のいずれかに記載のバッテリの充電方法。
【請求項９】
マイクロプロセッサを備える制御装置（２０）が、予め定義可能な充電特性を取得した時に充電サイクルが終了するようにプログラムされることを特徴とする請求項１ないし８のいずれかに記載のバッテリの充電方法。
【請求項１０】
直列に接続された複数のバッテリ・ブロック（３１、３２、３３、...、３ｎ）を有するバッテリを充電するバッテリ充電器であって、バッテリ充電器は電源モジュール（１０）を有し、
バッテリ充電器は、Ｉフェーズにおいて、予め定義された電圧および／または温度に達するまで、バッテリ（３０）の個々のバッテリ・ブロック（３１、３２、３３、...、３ｎ）を、一定の充電電流および可変の電圧で、定義可能な期間の間、充電サイクルごとに１回、１個ずつ順番に充電できる手段を有し、
バッテリ充電器は、Ｕフェーズにおいて、予め定義された電圧および／または温度に達した後、バッテリ（３０）の個々のバッテリ・ブロック（３１、３２、３３、...、３ｎ）を、一定の電圧および可変の電流で、定義可能な期間の間、充電サイクルごとに１回、１個ずつ順番に充電できる手段を有して、
バッテリ充電器が制御装置（２０）を有し、その制御装置を用いて、個々のバッテリ・ブロック（３１、３２、３３、...、３ｎ）が定義可能な充電状態および／または温度に達するまで、充電サイクルが何回でも繰り返されるようにプログラムできることを特徴とするバッテリ充電器。
【請求項１１】
バッテリ充電器が自動切換スイッチを有し、その自動切換スイッチを用いて、バッテリ（３０）の個々のバッテリ・ブロック（３１、３２、３３、…、３ｎ）が、定義可能な時間の間、充電サイクルごとに１回、１個ずつ順番に充電可能および／または再充電可能であることを特徴とする請求項１０に記載のバッテリ充電器。
【請求項１２】
バッテリ充電器が電子切換スイッチを有し、その電子切換スイッチを用いて、バッテリ（３０）の個々のバッテリ・ブロック（３１、３２、３３、…、３ｎ）が、定義可能な時間の間、充電サイクルごとに１回、１個ずつ順番に充電可能および／または再充電可能であることを特徴とする請求項１０に記載のバッテリ充電器。
【請求項１３】
充電サイクルごとの個々のバッテリ・ブロック（３１、３２、３３、…、３ｎ）の充電が、３０〜３００秒間行われることを特徴とする請求項１０ないし１２のいずれかに記載のバッテリ充電器。
【請求項１４】
充電サイクルごとの個々のバッテリ・ブロック（３１、３２、３３、…、３ｎ）の充電が、容量全体の２４０分の１〜１２分の１に相当することを特徴とする請求項１０ないし１３のいずれかに記載のバッテリ充電器。
【請求項１５】
バッテリ・ブロックごとに、充電電流が２個の電子スイッチ（４０／４１）を用いて導通と遮断とを切り換えられることを特徴とする請求項１０ないし１４のいずれかに記載のバッテリ充電器。
【請求項１６】
電子スイッチ（４０／４１）が、少なくとも１つのＭＯＳ−ＦＥＴトランジスタを有することを特徴とする請求項１５に記載のバッテリ充電器。
【請求項１７】
バッテリ充電器の制御装置（２０）が、電子スイッチ（４０／４１）および／または電源モジュール（１０）の機能を制御するマイクロプロセッサを備えることを特徴とする請求項１５または１６のいずれかに記載のバッテリ充電器。
【請求項１８】
マイクロプロセッサを備える制御装置（２０）が、予め定義可能な充電特性を取得した時に充電サイクルが終了するようにプログラムできることを特徴とする請求項１０ないし１７のいずれかに記載のバッテリ充電器。
【手続補正書】
【提出日】平成15年5月15日(2003.5.15)
【手続補正１】
【補正対象書類名】明細書
【補正対象項目名】特許請求の範囲
【補正方法】変更
【補正の内容】
【特許請求の範囲】
【請求項１】
受信機のメモリ内にオーディオビジュアル伝送の少なくともスローモーションシーケンスを記録する事前のステップを有する、放送ネットワークから受信された前記オーディオビジュアル伝送内に含まれるスローモーションシーケンスを表示する方法であって、連続して表示されるスローモーションシーケンスを表示するステップを有し、各記録されたシーケンスの表示は加速されることを特徴とする、表示する方法。
【請求項２】
次のスローモーションシーケンスを表示することをトリガするユーザコマンドを検出するステップを有することを特徴とする、請求項１に記載の表示する方法。
【請求項３】
前のスローモーションシーケンスを表示することをトリガするユーザコマンドを検出するステップを有することを特徴とする、請求項１に記載の表示する方法。
【請求項４】
フレームよりなる伝送内のスローモーションシーケンスを検出する前記ステップは、
−ａ）オーディオビジュアル伝送から抽出された２つの連続するフレームに動作する動き検出のステップを有し、前記ステップは、それぞれが２つの関連するフレーム間の動きの存在又は不存在を示す２値インジケータの、動き値（Ｍ）の又は動きの不存在値（Ｓ）のストリングを発生し、
−ｂ）動き値（Ｍ）と動き値の少なくとも１つの不存在（Ｓ）の連続するストリングよりなるフレーム繰返しパターンを決定するステップを有し、前記繰返しパターンは長さを有し、
−ｃ）第１のフレーム繰返しパターンから基準パターンを構成する少なくとも１つのステップを有し、
−ｄ）基準パターンの長さと等しい長さの、動き値（Ｍ）と動きの不存在値（Ｓ）のストリングよりなるパターンを検出するステップを有し、
−ｅ）基準パターンとステップｄ）で以前に決定されたパターンの間を比較するステップを有し、
−ｆ）いわゆる信頼性カウンタ内で、基準パターンとステップｄ）中に決定されたパターンの間の一致の数を合計するステップを有し、
−ｇ）信頼性カウンタの値が定められた値（Ｔｈｉｇｈ）よりも大きいときに、スローモーションシーケンスの存在を有効にするステップを有する、ことを特徴とする請求項１に記載の表示する方法。
【請求項５】
検出されたシーケンスの標準速度に関して、スローモーションファクタを計算するステップを有し、前記ファクタは、基準パターンを構成する動き（Ｍ）及び動きの不存在（Ｓ）のインジケータの数と等しい、ことを特徴とする請求項４に記載の表示する方法。
【請求項６】
信頼性カウンタの値が定められた値（Ｔｌｏｗ）よりも大きいときに、ロックオン信号を有効化するステップを有する、ことを特徴とする請求項４或は５に記載の表示する方法。
【請求項７】
前記合計するステップは、ステップｄ）が不等を検出したときに、信頼性カウンタの値の減少を行う、ことを特徴とする請求項４乃至６のうちいずれか一項に記載の表示する方法。
【請求項８】
合計するステップの途中で、信頼性カウンタの値に上限値が配置される、ことを特徴とする請求項４乃至７のうちいずれか一項に記載の表示する方法。
【請求項９】
放送ネットワークで伝送された伝送を受信する手段（２，３，４，５）と、受信された前記オーディオビジュアル伝送の少なくともスローモーションシーケンスを格納する手段（２５，２６）とを有するオーディオビジュアル伝送の受信機であって、記録されたスローモーションシーケンスを加速する手段（１２）と、このように加速されたスローモーションシーケンスを表示する手段（１７，２０）とを有することを特徴とするオーディオビジュアル伝送の受信機。
【請求項１０】
メモリを読み出す手段（２６）を制御し且つ、ユーザコマンドに応答して、進行中のシーケンス後に記録されたスローモーションシーケンスを読み出し且つ進行中のシーケンスの終了を待つことなしにそれを表示する、表示モジュールを有することを特徴とする、請求項９に記載のオーディオビジュアル伝送の受信機。
【請求項１１】
メモリを読み出す手段（２６）を制御し且つ、ユーザコマンドに応答して、進行中のシーケンスのすぐ前に記録されたスローモーションシーケンスを読み出し且つ進行中のシーケンスの終了を待つことなしにそれを表示する、表示モジュールを有することを特徴とする、請求項９或は１０に記載のオーディオビジュアル伝送の受信機。
【請求項１２】
オーディオビジュアル伝送の少なくとも一部を格納するメモリ、前記メモリから読み出された前記オーディオビジュアル伝送の同様なパリティの２つの画像の間の動き（Ｍ）又は動きの不存在（Ｓ）を検出する動き検出器を有し、更に、動き値（Ｍ）と、それに続く動きの不存在（Ｓ）の少なくとも１つの値を有する動きの不存在（Ｓ）の値のストリングよりなるフレーム繰返しパターンを決定する手段と、フレーム繰返しパターンを決定する手段により得られたいわゆる基準パターンを格納するメモリと、基準パターンと処理されたオーディオビジュアル伝送から出されたフレームに動作する動き検出器の出力で記録されたパターンを比較する比較器と、その比較器により決定された一致の数を合計するいわゆる信頼性カウンタと、その信頼性カウンタの値が定められた値（Ｔｈｉｇｈ）に達したときに、スローモーションの存在の信号を送信する手段とを、有することを特徴とする、請求項９に記載の受信機。
【請求項１３】
標準速度に関してシーケンスのスローモーションファクタを計算する手段を更に有し、計算されたスローモーションファクタは、基準パターンを構成する動き（Ｍ）及び動きの不存在（Ｓ）のインジケータの数と等しい、ことを特徴とする、請求項１２に記載のオーディオビジュアル伝送の受信機。
【請求項１４】
信頼性カウンタの値が定められた値（Ｔｌｏｗ）に達したときに、いわゆる”ロックオン”信号を送信する手段を更に有し、そのロックオン信号は装置内のオーディオビジュアル伝送の蓄積をトリガする、ことを特徴とする、請求項１２或は１３に記載のオーディオビジュアル伝送の受信機。
【請求項１５】
前記信頼性カウンタの値の除算器を有し、前記除算器は、比較器が基準パターンと決定する手段により検出されたフレーム繰返しパターンの間の差を検出したときに活性化される、ことを特徴とする、請求項１２乃至１４のうちのいずれか一項に記載のオーディオビジュアル伝送の受信機。
【請求項１６】
動き検出器は、最初の２つのような同じパリティの少なくとも１つのフレームにより分離される、同様なパリティの２つのフレーム間の動きを検出することを特徴とする、請求項１２乃至１５のうちのいずれか一項に記載のオーディオビジュアル伝送の受信機。
【手続補正書】
【提出日】平成15年1月7日(2003.1.7)
【手続補正１】
【補正対象書類名】明細書
【補正対象項目名】特許請求の範囲
【補正方法】変更
【補正の内容】
【特許請求の範囲】
【請求項１】
容器からリボン状に製品を注出する注出蓋装置において、
デッキ、および、該デッキから延びて容器と係合するようになっているスカートを有する胴部分と、
注出オリフィスを画成する注出オリフィス周面を含む、前記デッキから延びる注出口であり、注出口後壁および注出口前壁を含み、前記デッキに対して前記前壁とは異なる高さ位置まで前記注出口後壁が延びている前記注出口とを含む注出蓋装置。
【請求項２】
前記注出オリフィス周面が横長の注出オリフィスを画成している請求項１に記載された注出蓋装置。
【請求項３】
前記注出オリフィス周面がオリフィス面を規定し、前記スカートが中心軸線を規定し、前記オリフィス面が前記中心軸線に対して鋭角を成している請求項１に記載された注出蓋装置。
【請求項４】
前記注出オリフィス周面が、一定曲率の一対の円弧状横部分と、注出オリフィス首部表面とを含み、
前記注出オリフィス首部表面が、前側首部表面部分と、該前側首部表面部分に対して実質的に平行に延びる後側首部表面部分とを含む請求項１に記載された注出蓋装置。
【請求項５】
前記注出口の前壁が、非円形の円錐形状で前記デッキから前記注出オリフィスまで延びている請求項１に記載された注出蓋装置。
【請求項６】
前記注出口の後壁が非円形の円錐形状で前記デッキから前記注出オリフィスまで延びている請求項１に記載された注出蓋装置。
【請求項７】
前記注出口が前記注出オリフィス周面の下位で凹んで内部密封ビードを有し、
注出蓋装置が、さらに、前記蓋装置胴部分に付属して協働する閉鎖蓋を含み、該閉鎖蓋が密封部材を有し、該密封ビードは、前記注出口と係合することによって前記注出オリフィスを密封閉塞するためのものである請求項１に記載された注出蓋装置。
【請求項８】
前記閉鎖蓋が端壁を含み、前記密封部材が後側部分と前側部分とを有し、前記端壁に対して、前記後側部分よりも高い位置まで前記前側部分が延びている請求項７に記載された注出蓋装置。
【請求項９】
前記蓋が蓋端壁を含み、前記密封部材が、中空であって、前記蓋の端壁から延び、前記注出オリフィスで前記注出口と係合する閉止位置まで前記蓋が動いた時に前記密封部材が弾発性密封力を与えるようになっている請求項７に記載された注出蓋装置。
【請求項１０】
前記注出口前壁と前記注出口後壁がそれぞれ非円形の円錐形状で前記注出オリフィスまで延びており、前記注出口前壁の円錐形状が前記注出口後壁の円錐形状とは相違する請求項１に記載された注出蓋装置。
【請求項１１】
前記注出口前壁と前記注出口後壁がそれぞれ放物線状にデッキから前記注出オリフィスまで延びている請求項１に記載された注出蓋装置。
【請求項１２】
前記注出口が、非円形の円錐形状でデッキから分配オリフィスまでそれぞれ延びる注出口左側部分と注出口右側部分とを含む請求項１に記載された注出蓋装置。
【請求項１３】
容器から製品をリボン状に注出する注出蓋装置であって、
（１）蓋装置デッキと、（２）容器と係合するように蓋装置デッキから延びているスカートと、（３）前記蓋装置デッキから延びている注出口とを有する蓋装置胴部分を含み、
前記注出口が、（Ａ）注出口後端面まで延びている後壁と、（Ｂ）注出口前端面まで延びている前壁と、（Ｃ）注出オリフィスを画成する注出オリフィス周面とを含み、
前記後壁および前記前壁の少なくとも一方が、前記蓋装置デッキから注出オリフィス周面まで少なくとも部分的に延びている円錐形状の遷移面を有する注出蓋装置。
【手続補正書】
【提出日】平成16年11月11日(2004.11.11)
【手続補正１】
【補正対象書類名】明細書
【補正対象項目名】特許請求の範囲
【補正方法】変更
【補正の内容】
【特許請求の範囲】
【請求項１】  フロアおよび側壁と、ブート縁および隣接するフェンダーとを有した自動車のブート内に配置するための、可撓性のある材料からなるシートを備え、
前記シートは、高い摩擦係数を有したタフな材料からなる層と、該タフな材料からなる層の上に重なるスムースな材料からなる層とを含み、かつ、前記シートは、それが前記ブート内に受け入れられる格納位置と、前記タフな材料からなる層が、物品が前記ブートから積み降ろしされる時に前記ブート縁およびフェンダーを保護するとともにさらに前記ブート縁上におけるシートの滑動を妨げるように前記ブート縁および隣接するフェンダーにかぶさる外部使用位置とに置き換え可能であり、前記スムースな材料からなる層が、物品が前記ブートから積み降ろしされる時に物品を滑動させ得る面を形成する、シートを備えた自動車アクセサリー。
【請求項２】  前記シートは、さらに、前記格納位置と、前記外部使用位置と、前記シート上に配置される物品を摩擦的に保持するための、高い摩擦係数を有した前記タフな材料からなる層を上に向けて、かつ前記スムースな材料かなる層を下に向け前記ブートのフロアと接触させて、前記ブートのフロアに広げられる内部使用位置とに置き換え可能である請求項１に記載の自動車アクセサリー。
【請求項３】  前記タフな材料からなる層は、ゴムで被覆された材料からなる厚い層を含み、載っている面の摩擦保持力を高めるための摩擦保持形状を表面に有する請求項１に記載の自動車アクセサリー。
【請求項４】  前記ブートのフロアまたは側壁に前記シートを取り付けるための、前記シートに装着された取り付け手段をフック及びループファスナーの形で含み、前記フックおよびループ部分の一方は、前記シートに装着され、前記フックおよびループ部分の他方は、前記ブートのフロア面に装着される請求項１に記載の自動車アクセサリー。
【請求項５】  前記シートは、第１および第２のシート部分を含み、該第１および第２のシート部分は、各第１のシート部分及び第２のシート部分の１つの縁に沿って相互連結し、相互に回動可能であり、前記シートは、第１パネルがそれぞれ相互に回動可能となるように、隣接したパネル同士の間に薄くなった線状部分を有し、前記シート部分は、格納位置において相互に上面を接して折りたたまれ、使用位置において実質的に直線的に延びるように開かれ、前記シート部分は、前記格納位置において、前記タフな材料からなる層を内側に向けるとともに、折りたたまれた前記シートの外面を形成するように前記スムースな材料からなる層を外側に向けて、相互に折りたたまれる請求項１に記載の自動車アクセサリー。
【請求項６】  前記シートは、前記１つの縁と反対側の縁に沿って前記第２のシート部分と相互連結されるとともに相互に回動する第３の固定部分をさらに含み、前記各第１の部分および第２の部分は、実質的に矩形のパネル状であり、格納位置において前記第１のパネルが前記第２のパネル上に配置されるとともに、前記第３の部分は、実質的により薄い矩形のパネル状であり、前記第３のパネルは、格納位置において第２のパネルの近傍かつ前記第１のパネルの下に配置され、前記アクセサリーは、さらに、前記格納位置と、前記外部使用位置とに手動により置き換えることに役立つ、前記固定パネルから遠い前記第１のパネル上にハンドル形状を含む請求項５に記載の自動車アクセサリー。
【請求項７】  高い摩擦係数を有したタフな材料からなる層と、該タフレイヤーと重なり合った関係にあるスムースな材料からなる層とを含み、フロアおよび側壁と、ブート縁および隣接するフェンダーとを有した自動車のブート内に配置するための、可撓性のある材料からなるシートを含む自動車アクセサリーであって、
前記シートは、上に配置された物品を摩擦的に保持するように前記タフな材料からなる層を上向きにしかつ前記スムースな材料からなる層を下向きにフロアと接触させて前記ブートのフロア上に広げられる内部使用位置と、前記ブートから物品を積み降ろしする時に前記ブート縁およびフェンダーを保護するとともに前記ブート縁中を前記シートが滑動することを妨げるように、前記ブート縁および隣接するフェンダーに前記タフな材料からなる層がかぶせられる外部使用位置とに、置き換え可能である自動車アクセサリー。
【請求項８】  前記シートは、複数の部分を含み、前記シートは、前記内部使用位置と前記外部使用位置とに置き換え可能であり、さらに前記ブート内における内部格納位置にも置き換え可能であり、前記複数の部分は、前記タフな材料からなる層を内側に向けかつ折りたたまれたシートの外向き面を形成するように前記スムースな材料からなる層を外側に向け、前記内部格納位置において相互に上面を接して折りたたまれる請求項７に記載の自動車アクセサリー。
【請求項９】  高い摩擦係数を有したタフな材料からなる層と該タフな材料からなる層の上に重なるスムースな材料からなる層とを含み、フロアおよび側壁と、ブート縁および隣接するフェンダーとを有した自動車のブート内に配置するための、可撓性のある材料からなるシートを備えた自動車アクセサリーであって、
前記シートは、前記ブート内に受け入れられる格納位置と、前記ブート内に積み込まれた物品の位置を安定させることに役立つように前記タフな材料からなる層を上向きにして前記ブート内に受け入れられ前記ブートのフロア上に広げられるとともに、前記スムースな材料からなる層が下向きにされ前記ブートのフロアと接触する内部使用位置とに置き換え可能である自動車アクセサリー。
【請求項１０】  前記シートは、前記ブート内において前記格納位置と使用位置とに置き換え可能であるとともに、前記ブート縁および隣接するフェンダーを保護するように前記タフな材料からなる層を下向きにしてかつ物品が滑動し得る面を形成するように前記スムースな材料からなる層を上向きにして前記ブート縁上にかぶさる外部使用位置にも置き換え可能である請求項９に記載の自動車アクセサリー。
【請求項１１】  フロアおよび側壁、ならびにブート縁および該ブート縁に隣接したリアフェンダーを有するブートを具えた車体と、
高い摩擦係数を有したタフな材料からなる層と、該タフな材料からなる層の上に重なるスムースな材料からなる層とを含んだ可撓性のある材料からなるシートと、
を備え、
前記材料からなるシートは、前記ブート縁および隣接するフェンダーを保護しかつ前記ブート縁上における前記シートの滑動を妨げるように前記タフな材料からなる層を前記ブート縁に載せて外部使用位置に配置可能であるとともに、前記スムースな材料からなる層は、物品が滑動し得る面を形成する、自動車。
【手続補正書】
【提出日】平成15年12月22日(2003.12.22)
【手続補正１】
【補正対象書類名】明細書
【補正対象項目名】請求項７
【補正方法】変更
【補正の内容】
【請求項７】
前記送りスライドを後方に圧迫する送りスライドばねをさらに含む、請求項２に記載の工具。
【手続補正書】
【提出日】平成15年1月14日(2003.1.14)
【手続補正１】
【補正対象書類名】明細書
【補正対象項目名】特許請求の範囲
【補正方法】変更
【補正の内容】
【特許請求の範囲】
【請求項１】
以下の：
（ａ）アラントイン、および
（ｂ）実質的に親水性であり、水溶性である少なくとも１つの陰イオン性または非イオン性乳化剤
を含む水中油型エマルジョンを含む組成物であって、該組成物のｐＨは、約３．０〜約６．０の範囲内である組成物。
【請求項２】
前記水中油型エマルジョンは蜜蝋を含む、請求項１に記載の組成物。
【請求項３】
前記少なくとも１つの陰イオン性または非イオン性乳化剤は、以下の：
（ａ）酸性陰イオン性ポリマー、
（ｂ）ラウリル硫酸ナトリウム、ラウレス硫酸ナトリウム、オレイルコハク酸ナトリウム、ドデシルベンゼンスルホン酸ナトリウム、およびラウリルサルコシン酸ナトリウムからなる群から選択される陰イオン性乳化剤、
（ｃ）鎖長が８〜２２個の炭素原子の範囲であるエトキシ化エーテルまたはエトキシ化エステルである非イオン性乳化剤、
（ｄ）ステアリン酸グリセリル、
（ｅ）セチルアルコール、
（ｆ）ステアリン酸、
（ｇ）ステアロイル乳酸ナトリウム、
（ｈ）イソステアロイル乳酸ナトリウム、
（ｉ）トリエタノールアミン、
（ｊ）エーテル中のポリエチレングリコール部分の数が６〜４０であるセテアリルアルコールのポリエチレングリコールエーテル、および
（ｋ）蜜蝋
からなる群から選択される、請求項１に記載の組成物。
【請求項４】
前記少なくとも１つの陰イオン性または非イオン性乳化剤は乳化剤系の一部であり、該乳化剤系は以下の：
（ａ）酸性陰イオン性ポリマー、および
（ｂ）ステアリン酸のポリエチレングリコールエステル
を含む、請求項１に記載の組成物。
【請求項５】
前記少なくとも１つの陰イオン性または非イオン性乳化剤は乳化剤系の一部であり、該乳化剤系は以下の：
（ａ）酸性陰イオン性ポリマー、および
（ｂ）陰イオン性乳化剤
を含む、請求項１に記載の組成物。
【請求項６】
前記少なくとも１つの陰イオン性または非イオン性乳化剤は、ラウリル硫酸ナトリウム、ラウレス硫酸ナトリウム、オレイルコハク酸ナトリウム、ドデシルベンゼンスルホン酸ナトリウム、およびラウリルサルコシン酸ナトリウムからなる群から選択される、請求項１乃至５のいずれか１項に記載の組成物。
【請求項７】
前記少なくとも１つの陰イオン性または非イオン性乳化剤はラウリル硫酸ナトリウムを含む、請求項６に記載の組成物。
【請求項８】
前記少なくとも１つの陰イオン性または非イオン性乳化剤は、酸性陰イオン性ポリマーを含む乳化剤系の一部である、請求項１に記載の組成物。
【請求項９】
前記少なくとも１つの陰イオン性または非イオン性乳化剤は乳化剤系の一部であり、該乳化剤系は以下の：
（ａ）酸性陰イオン性ポリマー、および
（ｂ）炭素鎖長が８〜２２個の炭素原子の範囲であるエトキシ化エーテルまたはエトキシ化エステルである非イオン性乳化剤
を含む、請求項１に記載の組成物。
【請求項１０】
前記乳化剤系は、ステアリン酸グリセリルをさらに含む、請求項９に記載の組成物。
【請求項１１】
前記組成物は、以下の：
（ａ）ラノリン油、セチルアルコール、ステアリルアルコール、およびタラ肝油からなる群から選択される少なくとも１つの皮膚軟化剤を含む皮膚軟化剤成分、
（ｂ）ブチル化ヒドロキシトルエン、
（ｃ）グリセリン、プロピレングリコール、およびブチレングリコールからなる群から選択される少なくとも１つの溶媒を含む溶媒成分、および
（ｄ）メチルパラベン、プロピルパラベン、およびジアゾリジニルウレアからなる群から選択される少なくとも１つの防腐剤を含む防腐剤成分
のうちの少なくとも１つをさらに含む、請求項９に記載の組成物。
【請求項１２】
前記少なくとも１つの陰イオン性または非イオン性乳化剤は乳化剤系の一部であり、該乳化剤系は以下の：
（ａ）セチルアルコール、および
（ｂ）ステアリン酸
を含む、請求項１に記載の組成物。
【請求項１３】
前記組成物は、ｐＨを調節するためにトリエタノールアミンをさらに含む、請求項１２に記載の組成物。
【請求項１４】
以下の：
（ａ）プロピレングリコール、グリセリン、およびブチレングリコールからなる群から選択される少なくとも１つの溶媒を含む溶媒成分、
（ｂ）ラノリン油、およびタラ肝油からなる群から選択される少なくとも１つの皮膚軟化剤を含む皮膚軟化剤成分、
（ｃ）ブチル化ヒドロキシトルエン、および
（ｄ）メチルパラベンおよびプロピルパラベンからなる群から選択される少なくとも１つの防腐剤を含む防腐剤成分
のうちの少なくとも１つをさらに含む、請求項１２に記載の組成物。
【請求項１５】
前記少なくとも１つの陰イオン性または非イオン性乳化剤は乳化剤系の一部であり、該乳化剤系は以下の：
（ａ）ステアロイル乳酸ナトリウム、
（ｂ）イソステアロイル乳酸ナトリウム、
（ｃ）任意に、トリエタノールアミン、および
（ｄ）任意に、炭素鎖長が８〜２２個の炭素原子の範囲であるエトキシ化エーテルまたはエトキシ化エステルである非イオン性乳化剤からなる群から選択される少なくとも１つの非イオン性乳化剤
を含む、請求項１に記載の組成物。
【請求項１６】
前記酸は、クエン酸である、請求項１５に記載の組成物。
【請求項１７】
以下の：
（ａ）プロピレングリコール、ブチレングリコール、およびグリセリンからなる群から選択される少なくとも１つの溶媒を含む溶媒成分、
（ｂ）ラノリン油、セチルアルコール、およびタラ肝油からなる群から選択される少なくとも１つの皮膚軟化剤を含む皮膚軟化剤成分、
（ｃ）ブチル化ヒドロキシトルエン、
（ｄ）ＥＤＴＡ四ナトリウム、および
（ｅ）メチルパラベン、およびプロピルパラベンからなる群から選択される少なくとも１つの防腐剤を含む防腐剤成分
のうちの少なくとも１つをさらに含む、請求項１５に記載の組成物。
【請求項１８】
前記少なくとも１つの陰イオン性または非イオン性乳化剤は乳化剤系の一部であり、該乳化剤系は少なくとも１つのセテアリルアルコールのポリエチレングリコールエーテルを含み、ここで該セテアリルアルコールのポリエチレングリコールエーテル中のポリエチレングリコール部分の数が６〜４０である、請求項１に記載の組成物。
【請求項１９】
前記少なくとも１つの陰イオン性または非イオン性乳化剤は乳化剤系の一部であり、該乳化剤系は以下の：
（ａ）ステアリン酸のポリエチレングリコールエステル、および
（ｂ）ステアリン酸グリセリル
を含む、請求項１に記載の組成物。
【請求項２０】
炭水化物ポリマーをさらに含む、請求項１乃至１９のいずれか１項に記載の組成物。
【請求項２１】
前記炭水化物ポリマーは、ガラクトアラビナン、ポリガラクトース、およびポリアラビノースからなる群から選択される、請求項２０に記載の組成物。
【請求項２２】
前記炭水化物ポリマーは、ガラクトアラビナンである、請求項２１に記載の組成物。
【請求項２３】
前記酸性陰イオン性ポリマーは、カルボキシポリメチレンを含む、請求項１乃至２２のいずれか１項に記載の組成物。
【請求項２４】
前記組成物のｐＨは、約５．０〜約６．０の範囲である、請求項１乃至２３のいずれか１項に記載の組成物。